(57)【要約】【課題】  携帯電話の電話機能の動作可能時間の長期化を図る。【解決手段】  二次電池７０の正極端子の電圧をモニタし、モニタ電圧が閾値電圧Ｖ０１以下か否かを判定し（ステップ３００）、モニタ電圧が閾値電圧Ｖ０１以下のとき、ステップ３１０に進んで、音楽機能が動作中が否かを判定する。音楽機能が動作中のとき、音声処理部５０により、音楽信号に音楽機能制限警告信号を重畳させてイヤホン４０ｃに出力させる（ステップ３２０）。このため、音楽機能制限警告音を音楽に重畳させてイヤホン４０ｃから出力させる。次に、音声処理部５０によるイヤホン４０ｃへの音楽信号の出力を停止させる（ステップ３３０）【選択図】      図１
2005143144.tif 000002
【特許請求の範囲】
【請求項１】
待受け中に電話機能以外の付加機能が電池により動作する携帯電話であって、
前記電池の電池容量が、この電池容量における前記付加機能の動作可能レベルである第１の閾値に比べて小さいか否かを判定する第１の判定手段と、
前記待受け中に前記付加機能が動作している場合に、前記第１の判定手段によって前記電池容量が第１の閾値より小さいと判定されたとき、前記付加機能の動作を停止する第１の機能停止手段と、
前記電池容量が前記第１の閾値より低い第２の閾値に比べて小さいか否かを判定する第２の判定手段と、
前記第２の判定手段によって前記電池容量が第２の閾値に比べて小さいと判定されたとき、前記電話機能を停止する第２の機能停止手段とを有することを特徴とする携帯電話。
【請求項２】
情報を通知する通知手段と、
前記第１の判定手段によって前記電池容量が第１の閾値に比べて小さいと判定されたとき、前記付加機能の停止の旨を前記情報として通知させるように前記通知手段を制御する通知制御手段とを有することを特徴とする請求項１に記載の携帯電話。
【請求項３】
前記付加機能は、音楽を出力させる音楽機能であって、
前記通知制御手段は、前記音楽機能の停止の旨を警告音で通知させるように前記通知手段を制御することを特徴とする請求項２に記載の携帯電話。
【請求項４】
前記音楽機能による前記音楽をイヤホンへ出力するための端子を有し、
前記警告音は、前記端子へ出力されることを特徴とする請求項３記載の携帯電話。
【請求項５】
表示部を有し、
前記付加機能は、テレビ機能であって、
前記通知制御手段は、前記情報として、テレビ機能の停止の旨を前記表示部で通知させるように前記通知手段を制御することを特徴とする請求項２に記載の携帯電話。
【請求項６】
待受け中に電話機能以外の付加機能が電池により動作する携帯電話を、
前記電池の電池容量が、この電池容量における前記付加機能の動作可能レベルである第１の閾値に比べて小さいか否かを判定する第１の判定手段と、
前記待受け中に前記付加機能が動作している場合に、前記第１の判定手段によって前記電池容量が第１の閾値より小さいと判定されたとき、前記付加機能の動作を停止する第１の機能停止手段と、
前記電池容量が前記第１の閾値より低い第２の閾値に比べて小さいか否かを判定する第２の判定手段と、
前記第２の判定手段によって前記電池容量が第２の閾値に比べて小さいと判定されたとき、前記電話機能を停止する第２の機能停止手段として機能させるプログラム。
【発明の詳細な説明】
【技術分野】
【０００１】
本発明は、本発明は、携帯電話に関する。
【背景技術】
【０００２】
以下、従来の携帯電話における電池電圧モニタ処理について図７により説明する。携帯電話に内蔵された制御部は、図７に示すフロチャートに従って、電池電圧モニタ処理を行う。但し、携帯電話は、電話機能と共にこの電話機機能以外の付加機能（例えば、着信メロディの作成機能）を有する。また、携帯電話は、表示部（液晶ディスプレイ）を有するもので、内蔵された二次電池によって動作する。
【０００３】
先ず、通話中か否かを判定し（ステップ１００）、通話中であるとき、ステップ１１０に進んで、二次電池の正極端子の電圧をモニタしてモニタした電圧（以下、モニタ電圧という）が閾値電圧Ｖ１１以下であるか否かを判定する。ここで、モニタ電圧は、電池容量を示している。
【０００４】
次に、ステップ１１０で、モニタ電圧が閾値電圧Ｖ１１に比べて小さいとき、電池容量低下の旨の警告を表示部に表示させ（ステップ１２０）、ステップ１３０に進んで、二次電池の正極端子の電圧をモニタしてモニタ電圧が閾値電圧Ｖ１１より大きい閾値電圧Ｖ００（＞Ｖ１１）以上であるか否かを判定する。
【０００５】
次に、ステップ１３０で、モニタ電圧が閾値電圧Ｖ００未満であるとき、二次電池の正極端子の電圧をモニタしてモニタ電圧が閾値電圧Ｖ１１より小さい閾値電圧Ｖ１３（＜Ｖ１１）以下であるか否かを判定し（ステップ１４０）、モニタ電圧が閾値電圧Ｖ１３以下であるとき、ステップ１５０に進んで、電話機能及び付加機能を制限する。すなわち、電源をＯＦＦにする。
【０００６】
また、ステップ１１０で、通話中でないとき、ステップ１６０に進んで、二次電池の正極端子の電圧をモニタしてモニタし、モニタ電圧が閾値電圧Ｖ１２（Ｖ１１＞Ｖ１２＞Ｖ１３）以下であるか否かを判定し、モニタ電圧が閾値電圧Ｖ１２以下であるとき、ステップ１３０に進む。
【０００７】
このように、閾値電圧Ｖ１１或いは閾値電圧Ｖ１２よりもモニタ電圧が低いとき、電池容量低下の旨の警告を表示部に表示させる。これに加えて、モニタ電圧が閾値電圧Ｖ１３以下のとき、電話機機能及び付加機能を制限し、使用者に二次電池への充電、又は二次電池の交換を促すようにしている。
【発明の開示】
【発明が解決しようとする課題】
【０００８】
ところで、近年、携帯電話において、その機能の増加が著しく、本来の電話機能以外に数多くの付加機能が追加されつつある。これら追加機能の中で、着信メロディの作成、ミュージック、カラオケ機能（インターネット接続の配信による）等、携帯電話の電話機能を利用せず、端末として単独での付加機能を使用する機会が増加している。
【０００９】
しかし、付加機能は、本来の電話機能を動作させるのと同一の二次電池で動作しており、付加機能を長時間使用することにより、二次電池の電池容量が減少し、予期せずに、付加機能は勿論のこと、電話機能までもが動作しなくなるといった問題があった。
【００１０】
本発明は、上記点に鑑み、電話機能の動作可能時間の長期化を図るようにした携帯電話を提供することを目的とする。
【課題を解決するための手段】
【００１１】
上記目的を達成するために、
本発明の請求項１、６では、待受け中に電話機能以外の付加機能が電池により動作する携帯電話であって、前記電池の電池容量が、この電池容量における前記付加機能の動作可能レベルである第１の閾値に比べて小さいか否かを判定する第１の判定手段と、前記待受け中に前記付加機能が動作している場合に、前記第１の判定手段によって前記電池容量が第１の閾値より小さいと判定されたとき、前記付加機能の動作を停止する第１の機能停止手段と、前記電池容量が前記第１の閾値より低い第２の閾値に比べて小さいか否かを判定する第２の判定手段と、前記第２の判定手段によって前記電池容量が第２の閾値に比べて小さいと判定されたとき、前記電話機能を停止する第２の機能停止手段とを有することを特徴とする。
【００１２】
また、請求項１記載の発明において、請求項２のように、情報を通知する通知手段と、前記第１の判定手段によって前記電池容量が第１の閾値に比べて小さいと判定されたとき、前記付加機能の停止の旨を前記情報として通知させるように前記通知手段を制御する通知制御手段とを有すると良い。
【００１３】
また、請求項２記載の発明において、請求項３のように、前記付加機能は、音楽を出力させる音楽機能であって、前記通知制御手段は、前記音楽機能の停止の旨を警告音で通知させるように前記通知手段を制御すると良い。
【００１４】
また、請求項３記載の発明において、請求項４のように、前記音楽機能による音楽をイヤホンへ出力するための端子を有し、前記警告音は、前記端子へ出力されると良い。
【００１５】
また、請求項２記載の発明において、請求項５記載の発明では、表示部を有し、
前記付加機能は、テレビ機能であって、前記通知制御手段は、前記テレビ機能の停止を、前記表示部で通知させるように前記通知手段を制御すると良い。
【発明の効果】
【００１６】
請求項１、５記載の発明によれば、第１の閾値は、電池容量における付加機能の動作可能レベルであるにも関わらず、電池容量が第１の閾値に比べて小さくなったとき、付加機能が制限されるので、電池容量の低下が抑えられ、電話機能の動作可能時間の長期化を図ることができる。
【発明を実施するための最良の形態】
【００１７】
図１に本発明の携帯電話の実施形態を示す。図１は携帯電話の正面図で、図１において、携帯電話は、ケース１０、キー操作部２０、及び表示部３０から構成されている。キー操作部２０は、ケース１０の正面ケース部１１に配設され、キー操作部２０は、十字キー２１、電源キー２２、ファンクションキー（Ｆ）２３、テンキー（文字・数字キー）２４ａ〜２４ｋ、２４ｍ、その他のキー２５ａ〜２５ｄから構成されている。表示部（液晶パネル）３０は、ケース１０の正面ケース部１１に形成された開口部１２の内側に配置されたものであって、各種情報を表示する。
【００１８】
次に、携帯電話の電気回路構成につき図２を参照して説明する。図２は携帯電話の概略構成を示すブロック図である。図２に示すように、携帯電話は、マイク４０ａ、レシーバ４０ｂ、イヤホン４０ｃ、イヤホンマイク端子４０ｄ、音声処理部５０、無線部６０、アンテナ６５、二次電池７０、メモリ８０、及び制御部９０が設けられている。
【００１９】
マイク（送話部）４０は、使用者（ユザー）の音声を送話音声信号に変換し音声処理部５０に出力する。レシーバ（受話部）５０は、音声処理部５０からの受話音声信号或いは音楽信号に基づいて、通話相手からの受話音声、或いは音楽音声を出力する。
【００２０】
音声処理部５０は、制御部９０により制御されて、無線部６０からの復調信号を受話音声信号に変換してイヤホン４０ｃ（イヤホンマイク端子４０ｄを通して）或いはレシーバ４０ｂから出力させる一方、マイク４０ａからの送話音声信号を送信信号に変換し無線部６０に出力する。また、音声処理部５０は、制御部９０により制御されて、音楽信号をイヤホン４０ｃ或いはレシーバ４０ｂに出力する。
【００２１】
無線部６０は、アンテナ６５を介して受信した受信信号を復調信号に変換して音声処理部５０に出力する一方、音声処理部５０からの送信信号を変調して変調信号をアンテナ６５を介して送信する。二次電池７０は、音声処理部５０、無線部６０、メモリ８０、及び制御部９０の各々に電力を供給する。メモリ８０は、制御部９０のコンピュータプログラムとともに、音楽データを保持する。但し、音楽データは、インターネットにより音楽データの配信を受けてメモリ８０に保持されている。また、メモリ８０には、音楽機能の動作中を示す作動中フラグ（ＭＦ）と、音楽機能の動作許可を示す音楽許可フラグ（ＭＱ）とが設けられている。
【００２２】
制御部９０は、マイクロコンピュータ等から構成されて、音楽機能処理、電池電圧モニタ処理等を行う。制御部９０は、図４、図５に示すフロチャートに従って、電池電圧モニタ処理を行う。但し、図５に示すステップ１００〜１６０は、図７に示すステップ１００〜１６０と同一である。以下、制御部９０の電池電圧モニタ処理に先だって、制御部９０における音楽機能処理につき図３を参照して説明する。但し、音楽許可フラグ（ＭＱ）及び作動中フラグ（ＭＦ）は、電源投入にてインシャライズされてリセットされる。制御部９０は、図３に示すフロチャートに従って、音楽機能処理を行う。音楽機能処理は、待ち受け中において、キー操作部２０への押下に応じた機能番号「Ｆ１８」の入力にて開始する。先ず、音楽許可フラグ（ＭＱ）がリセットしているか否かを判定し（ステップ２００）、音楽機能許可フラグ（ＭＱ）がリセットしているとき（ＭＱ＝０）、音楽機能の開始が許可されていると判定する。
【００２３】
次に、作動中フラグ（ＭＦ）をセットし（ステップ２１０）、メモリ８０に保持された音楽データを読み込み（ステップ２２０）、読み込んだ音楽データに基づいて音楽信号を音声処理部５０に出力する（ステップ２３０）。これにより、音声処理部５０は、音楽信号に応じて駆動されて、音楽音声をイヤホン４０ｃ（或いはレシーバ４０ｂ）から出力させ得る。
【００２４】
次に、ステップ２００で、音楽機能許可フラグ（ＭＱ）がセットしているとき、音楽機能の開始が不許可であると判定し、ステップ２４０に進んで、「音楽機能の制限」の旨の警告を表示部３０に表示させる。これにより、音楽機能許可フラグ（ＭＱ）がセットしていれば、機能番号「Ｆ１８」が入力される度に、表示部３０は、「音楽機能の制限」の旨の警告を表示することになる。その後、音楽機能の制限を行うか否かの選択の旨「（１）音楽機能ＯＦＦ（２）音楽機能ＯＮ」を表示部３０に表示させる（ステップ２５０）。
【００２５】
ここで、テンキー２４ｂ「２」が押下されたとき、ステップ２１０に進む。これにより、モニタ電圧が閾値電圧Ｖ０１以下であっても、使用者の好みに応じて、音楽機能を動作させることができる。なお、ステップ２５０で、テンキー２４ａ「１」が押下されたとき、音楽機能の制限を行うと判定されることになる。
【００２６】
以下、制御部９０の電池電圧モニタ処理につき図４、図５により説明する。先ず、二次電池７０の正極端子の電圧をモニタし、モニタ電圧が閾値電圧Ｖ０１以下か否かを判定する（ステップ３００）。但し、閾値電圧Ｖ０１は、二次電池７０の正極端子の電圧における音楽機能の動作可能レベルに設定されたものであって、閾値電圧Ｖ００より小さく、かつ閾値電圧Ｖ１１より大きい値である（Ｖ００＞Ｖ０１＞Ｖ１１）。
【００２７】
次に、モニタ電圧が閾値電圧Ｖ０１以下のとき、ステップ３１０に進んで、作動中フラグ（ＭＦ）に応じて、音楽機能（付加機能）が動作中が否かを判定する。ここで、作動中フラグ（ＭＦ）がセットしているとき、音楽機能が動作中であると判定し、音声処理部５０を機能制限警告音出力処理する（ステップ３２０）。このため、音声処理部５０は、音楽に音楽機能制限警告を重畳させてイヤホン４０ｃから出力させる。例えば、音声処理部５０は、音楽機能制限警告音「例えば、ピッ、ピッ、ピッ」という警告音を音楽に重畳させてイヤホン４０ｃから出力させる。
【００２８】
次に、音楽機能許可フラグ（ＭＱ）をセットし（ステップ３３０）、音声処理部５０によるイヤホン４０ｃへの音楽信号の出力を停止させる。ここで、二次電池７０の正極端子の電圧をモニタし、モニタ電圧が閾値電圧Ｖ００（＞Ｖ１１）以上であるか否かを判定し（ステップ３４０）、モニタ電圧が閾値電圧Ｖ００以上であるとき、音楽機能の制限の解除処理として、音楽機能許可フラグ（ＭＱ）をリセットする（ステップ３５０）。これにより、上述の如く、機能番号「Ｆ１８」が入力されたとき、音楽機能の動作を開始させることができる。
【００２９】
次に、ステップ３１０で、作動中フラグ（ＭＦ）がリセットしているとき、ステップ３８０に進んで、音楽機能許可フラグ（ＭＱ）をセットする。これにより、機能番号「Ｆ１８」が入力されても、音楽機能の動作を開始することを禁止することができる。
【００３０】
次に、二次電池７０の正極端子の電圧をモニタし、モニタ電圧が閾値電圧Ｖ００（＞Ｖ１１）以上であるか否かを判定し（ステップ３９０）、モニタ電圧が閾値電圧Ｖ００以上であるとき、ステップ３５０に進む。また、モニタ電圧が閾値電圧Ｖ００未満のとき、ステップ１００に進む。その後、上述と同様に、ステップ１１０或いは、ステップ１６０を処理した後、ステップ１２０〜ステップ１５０の処理を行う。
【００３１】
次に、本実施形態の特徴を述べる。すなわち、上述した閾値電圧Ｖ１２、Ｖ１１の双方に比べて高い閾値電圧Ｖ０１が採用されて、閾値電圧Ｖ０１は、二次電池７０の正極端子の電圧における音楽機能の動作可能レベルに設定されているにも関わらず、二次電池７０の正極端子の電圧（モニタ電圧）が閾値電圧Ｖ０１に比べて低くなったとき、音楽機能を制限するため、電池容量の低下を抑えることができ、電話機能の稼働可能時間を長期化を図ることができる（図６参照）。
【００３２】
これに加えて、「音楽機能の制限」の旨の警告を音或いは表示で行う。すなわち、使用者に二次電池７０の電池容量の低下の警告を通知することができるため、音楽機能の使用の制限を使用者に促すことができる。このため、二次電池７０の電池容量の低下を、効率的に抑えることができる。
【００３３】
ここで、単に音楽機能の動作に関わらず、モニタ電圧が閾値電圧Ｖ０１以下になったとき、音楽機能の制限を報知すると、使用者が望まないときにでも、不必要に、音楽機能の制限の報知が行なわれるという問題がある。
【００３４】
そこで、モニタ電圧が閾値電圧Ｖ０１以下の状態で、作動中フラグ（ＭＦ）におけるセット状態かリセット状態かを判定することにより、モニタ電圧が閾値電圧Ｖ０１以下の状態で、キー操作部２０への操作により音楽機能の動作が開始されたか否かを判定する。さらに、モニタ電圧が閾値電圧Ｖ０１以下の状態で、キー操作部２０への操作により音楽機能の動作が開始されたとき、音声処理部５０によって、音楽に音楽機能制限警告を重畳させてイヤホン４０ｃから出力させることにより、音楽機能の制限を報知する。これにより、不必要な音楽機能の制限報知を無くすことができる。
【００３５】
また、上述の如く、音楽機能許可フラグ（ＭＱ）がセットしていれば、音楽機能の開始が不許可であると判定し、音楽機能の制限を行うか否かの選択の旨を表示部３０に表示させる。これにより、使用者のキー操作部２０への操作をトリガーとして、閾値電圧Ｖ０１以下のモニタ電圧で音楽機能を動作をさせるかどうか問い合わせることができる。ここで、音楽機能の動作を指示する旨を、キー操作部２０への操作として受けたとき、音楽機能の制限を解除するので、利用者が、電話機能に比べて音楽機能を重要視する場合、音楽機能を動作させることにより、利便性を向上できる。
【００３６】
なお、上記実施形態では、電池容量を検出する手段としては、二次電池７０の正極端子の電圧を採用した例につき説明したが、正極端子の電圧以外のものを採用してもよい。
【００３７】
なお、上記実施形態では、音楽機能制限警告音を音楽に重畳させてイヤホン４０から出力させるようにした例につき説明したが、これに限らず、音楽機能制限警告音をレシーバ４０ｂ、或いは、着信メロディ用スピーカから出力するようにしてもよい。
【００３８】
さらに、本発明の実施にあたり、音楽機能（付加機能）の制限処理を行うか否かを判定する為の閾値電圧Ｖ０１を、キー操作部２０への操作に応じて、選択（変更）するようにしてもよい。
【００３９】
なお、本発明の実施にあたり、機能実行手段をハードウェア構成で実現するようにしてもよい。
【００４０】
なお、上記実施形態では、電話機能を制限する処理（ステップ１５０）としては、電源をＯＦＦにする例につき説明したが、これに限らず、電源をＯＦＦした後、キー操作部２０の操作に応じて電源のＯＦＦを解除し、電話機能を電池容量の可能な限り使用できるようにしてもよい。
【００４１】
さらに、本発明の実施にあたり、付加機能としては、音楽機能に限らず、電話機能以外の機能であればよい。例えば、本発明の実施にあたり、テレビ付携帯電話に適用して、テレビ機能を付加機能として制限するようにしてもよい。ここで、電話機能とは、通話機能、及びデータの通信機能であり、通話機能は、通信網側との通信に限らず、通信端末との通信を含み、同様に、データの通信機能は、通信網側との通信に限らず、通信端末との通信を含む。但し、データの通信機能を、付加機能として、選択するようにしてもよい。
【００４２】
また、上記各実施形態において、上述した機能を達成するプログラムをサーバから携帯電話にダウンロードし、インストールするようにしても良い。
【図面の簡単な説明】
【００４３】
【図１】本発明の実施形態に係る携帯電話の正面図である。
【図２】上記携帯電話の電気回路構成を示すブロック図である。
【図３】図２に示す制御部の音楽機能処理を示すフロチャートである。
【図４】上記制御部の電池電圧モニタ処理の一部を示すフロチャートである。
【図５】上記制御部の電池電圧モニタ処理の残りを示すフロチャートである。
【図６】上記実施形態の効果を説明する為の図である。
【図７】従来の携帯電話の制御部の作動を示すフロチャートである。
【符号の説明】
【００４４】
４０ｃ  イヤホン
５０    音声処理部
７０    二次電池
９０    制御回路
【図１】
2005143144.tif 000003
【図２】
2005143144.tif 000004
【図３】
2005143144.tif 000005
【図４】
2005143144.tif 000006
【図５】
2005143144.tif 000007
【図６】
2005143144.tif 000008
【図７】
2005143144.tif 000009